(57)【要約】【課題】  自然災害や火災に遭った人たちに、提供することができる組み立てハウスを提供することを課題とする。【解決手段】  鋼材で枠を組み、この枠体に床、屋根及び壁を取り付けてなる組み立てハウスにおいて、壁は、ウレタン平板１８の両面に薄い金属板１９、１９を接合してなるサンドイッチパネル１５Ａ、１５Ｂ、１５Ｃを主要素とし、これらのサンドイッチパネル１５Ａ、１５Ｂ、１５Ｃを枠体に嵌め、リベットにより取り外し可能に取り付けたことを特徴とする。【効果】  ウレタンは断熱性に富むため、外気温を遮断する性能を発揮し、居住性を高めることができる。したがって、本考案の組み立てハウスは居住に適用可能である。【選択図】      図６
0003107605.tif 000002
【実用新案登録請求の範囲】
【請求項１】
鋼材で枠を組み、この枠体に床、屋根及び壁を取り付けてなる組み立てハウスにおいて、前記壁は、ウレタン平板の両面に薄い金属板を接合してなるサンドイッチパネルを主要素とし、このサンドイッチパネルを前記枠体に嵌め、枠体に釘、ビス又はリベットにより取り外し可能に取り付けたことを特徴とする組み立てハウス。
【請求項２】
前記壁の下面と鋼製土台の上面との間に２〜７ｍｍの範囲の隙間を設け、この隙間を通じて床下と外との通気性を確保できるようにしたことを特徴とする請求項１記載の組み立てハウス。
【請求項３】
前記壁は水平な分割線で上下に分割し、この分割線では、下位のサンドイッチパネルの上辺を突条にし、上位のサンドイッチパネルの下辺を溝にすることで、雌雄嵌合構造にしたことを特徴とする請求項１又は請求項２記載の組み立てハウス。
【考案の詳細な説明】
【技術分野】
【０００１】
本考案は、自然災害や火災に遭った人たちに、提供することができる組み立てハウスに関する。
【背景技術】
【０００２】
従来、仮設小屋やプレハブ小屋と称して、木パネルや軽量金属パネルで囲った程度の小屋が実用に供されてきた。しかし、この程度の小屋は物置、倉庫の用途には問題ないが、居住性が悪く居住には適当とは言えない。
【０００３】
そこで、従来、居住可能な組み立てハウスが提案されている（例えば、特許文献１参照。）。
【特許文献１】特開２００３−３１３９５３公報
【０００４】
特許文献１を次図に基づいて説明する。
図８は従来の技術の基本構成を説明する図であり、桁側の壁パネル１０１の左右辺に縦長の貫通穴１０２、１０２を開けると共に、補強材１０３、１０３で補強したものを２枚用意する。加えて、貫通穴１０２、１０２より長いロングボルト１０４を４本準備する。
【０００５】
そして、土台１１１（図９参照）に、壁パネル１０１、１０１及び妻側の壁パネル１０６、１０６を載せ、これらの壁パネル１０１、１０１、１０６、１０６の上縁に屋根パネル１０７を載せ、次にロングボルト１０４で、土台、壁パネル１０１及び屋根パネル１０７に貫通させ、ボルトで締め上げることで、土台、壁パネル１０１及び屋根パネル１０７を一体化し、床１０５を張ることで、組み立てハウスが完成する。
【０００６】
ロングボルト１０４は全長が２．５〜３ｍに達するために、不可避的に曲がりを含む。曲がったロングボルト１０４を貫通穴１０２に通し、且つ土台と屋根パネル１０７のボルト穴に通すことは容易でなく、組み立てに時間が掛かる。
また、ボルト１０４の一端が屋根パネル１０７を突き抜けるため、このボルト１０７を伝わって雨水が補強材１０３に侵入しないように、別途防水処置を講じる必要があり、工数が嵩む。
【０００７】
図９は従来の技術の基本構成の問題点を説明する図であり、鋼製土台１１１に壁パネル１０１を載せ、平板１１２で土台１１１と壁パネル１０１との継ぎ目を外から塞いだ構造を示す。
長く使うと平板１１２にそりが発生し、壁パネル１０１との間に隙間が開く。すると、壁パネル１０１の外面を流れる雨水が土台１１１と壁パネル１０１との継ぎ目１１３にしみ込む。しみ込んだ水は、なかなか抜けずに留まるため、継ぎ目１１３に腐食が発生する。
【０００８】
これを避けるには、土台１１１に穴を開けて通気性を図ることが有効になる。しかし、鋼製土台１１１に穴を開けるとその分だけ加工費が嵩む。また、大雨に備えて穴を高い場所に設ける必要があり、鋼製土台１１１の高さ寸法を増す必要があり、鋼製土台１１１の材料費が嵩む。
【０００９】
すなわち、特許文献１の組み立てハウスは、ロングボルトが不可欠であるため、ロングボルトの費用及び組み立て工数が嵩む。加えて、壁パネルと土台との継ぎ目が腐食する虞がある。
【考案の開示】
【考案が解決しようとする課題】
【００１０】
本考案は、ロングボルトが不要であると共に壁パネルと土台との継ぎ目が腐食する心配がない組み立てハウスを提供することを課題とする。
【課題を解決するための手段】
【００１１】
請求項１に係る考案は、鋼材で枠を組み、この枠体に床、屋根及び壁を取り付けてなる組み立てハウスにおいて、前記壁は、ウレタン平板の両面に薄い金属板を接合してなるサンドイッチパネルを主要素とし、このサンドイッチパネルを枠体に嵌め、枠体に釘、ビス又はリベットにより取り外し可能に取り付けたことを特徴とする。
【００１２】
請求項２に係る考案は、壁の下面と鋼製土台の上面との間に２〜７ｍｍの範囲の隙間を設け、この隙間を通じて床下と外との通気性を確保できるようにしたことを特徴とする。
【００１３】
請求項３に係る考案では、壁は水平な分割線で上下に分割し、この分割線では、下位のサンドイッチパネルの上辺を突条にし、上位のサンドイッチパネルの下辺を溝にすることで、雌雄嵌合構造にしたことを特徴とする。
【考案の効果】
【００１４】
請求項１に係る考案では、ウレタン平板で壁を構成した。ウレタンは断熱性に富むため、外気温を遮断する性能を発揮し、居住性を高めることができる。したがって、本考案の組み立てハウスは居住に適用可能である。
また、両面を薄い金属板で被ったため、ウレタンが雨水で痛むことはない。室内面においては、金属板に塗装を施すこと、壁紙を貼ること、釘を打つことが自由に行え、使い勝手が良くなる。
【００１５】
リベットなどを抜けば、枠体からサンドイッチパネルを容易に外すことができ、本考案のハウスは組み立て及び解体が容易であり、自然災害や火災に遭った人たちに、提供することができる組み立てハウスに好適である。断熱性に優れているため、居住以外の用途、例えば食料品や野菜、果物の貯蔵小屋、物置に使用することは差し支えない。
【００１６】
請求項２に係る考案は、壁の下面と鋼製土台の上面との間に２〜７ｍｍの範囲の隙間を設けた。この隙間を通じて床下と外との通気性を確保できるので、壁と土台との間に雨水が浸入したとしても、簡単に落下するため滞留することはなく且つ濡れは通気によりすぐ乾かすことができる。したがって土台が腐る心配はない。
【００１７】
鋼製土台自体に通気孔を設ける必要がないので、土台の高さを低くすることができ、土台の制作費用を抑えることができる。
加えて、組み立てや解体の際に、２〜７ｍｍの隙間は壁の上下移動代にすることができ、壁を簡単に枠体から外す若しくは枠体に嵌めることができ、組み立て工数を下げることができる。
【００１８】
請求項３に係る考案では、壁は水平な分割線で上下に分割し、この分割線では、下位のサンドイッチパネルの上辺を突条にし、上位のサンドイッチパネルの下辺を溝にすることで、雌雄嵌合構造にした。
ハウスの軒高さを考えると、壁の高さは少なくとも２．３ｍは必要となる。一方、サンドイッチパネルは、製造、運搬を考えると、１ｍ×５ｍのサイズが好ましい。壁の分割線を水平にし、サンドイッチパネルを段積みするようにすれば、１ｍ幅のサンドイッチパネルが採用できる。
【００１９】
そして、分割線を雌雄嵌合構造にしたので、継ぎ目の機密性及び機械的結合性を確保することができる。
【考案を実施するための最良の形態】
【００２０】
本考案を実施するための最良の形態を添付図に基づいて以下に説明する。なお、図面は符号の向きに見るものとする。
図１は本考案に係る組み立てハウスの斜視図であり、組み立てハウス１０は、鋼製土台１１、鋼製柱１２・・・（・・・は複数を示す。以下同じ）、鋼製桁１３で枠を組み、この枠体に屋根１４及びサンドイッチパネル１５・・・を取り付けてなる。１６はドア、１７は窓である。
【００２１】
図２は本考案に係るサンドイッチパネルの基本図であり、サンドイッチパネル１５は、縦が１ｍで横が５ｍの矩形板である。
図３は図２の３−３線断面図であり、サンドイッチパネル１５は、４０ｍｍ厚さのウレタン平板１８の両面に０．４ｍｍ厚さの金属板（鋼板）１９、１９を接着した、サンドイッチ構造体であり、且つ図示するごとく上辺を突条２１とし、下辺が溝２２となるように、ウレタン平板１８に対して金属板１９、１９を図面下方へずらして貼り付けたことを特徴とする。この結果、金属板１９、１９の下端部２３、２３が突出する。
【００２２】
図４は本考案のサンドイッチパネルの組み立て要領図であり、最下段のサンドイッチパネル１５Ａ（区別を容易にするため、Ａ、Ｂ、Ｃを添える。）の下辺は、金属板１９、１９の下端部２３、２３を互いに内側へ折り曲げてウレタン平板１８に密着させる。
【００２３】
このようなサンドイッチパネル１５Ａに、中段のサンドイッチパネル１５Ｂを載せる。すなわち、下側の突条２１に、上側の下端部２３、２３を嵌めることで、雌雄嵌合構造にする。２４、２４は分割線である。
【００２４】
このサンドイッチパネル１５Ｂに上段のサンドイッチパネル１５Ｃを載せるが、軒下寸法の関係で、上段のサンドイッチパネル１５Ｃは切断する必要がある。そこで、鋸で、余分のサンドイッチパネル１５ｄを切断線２５で切断して、上辺を平坦にする。
図１に戻って、これで土台１１と桁１３との間に、サンドイッチパネル１５Ａ、１５Ｂ、１５Ｃを、ぴったり嵌めることができる。
【００２５】
図５は図１の５−５線断面図であり、鋼製柱１２、１２に０．３５ｍｍ厚さの金属製アングル２６、２６をリベット２７、２７で固定する。これらアングル２６、２６へサンドイッチパネル１５を外から（図下から上へ）嵌め込み、リベット２８、２８で固定する。次に、コーキング２９、２９を施して隙間を塞ぐ。
【００２６】
図６は図１の６−６線断面図であり、チャンネルで構成する鋼製土台１１と角パイプで構成する鋼製桁１３とは、図５で説明した柱１２・・・で連結するため、丈夫な枠体となる。
この枠体をベースに、仕上げる床、壁、屋根の構造を詳しく説明する。
【００２７】
先ず、鋼製土台１１にアングル３１を溶接止めし、このアングル３１に垂木３２を図面表裏方向に間隔を置いて渡し、その上にコンクリートパネル３３を敷き詰めることで、床３４を構成する。
【００２８】
次にコンクリートパネル３３にリベット３５でアングル３６を止めるが、このアングル３６は、鋼製土台１１から２〜７ｍｍの隙間ｔが確保できるよう位置決めする。このアングル３６に最下段のサンドイッチパネル１５Ａを載せ、このサンドイッチパネル１５Ａに中段のサンドイッチパネル１５Ｂを載せ、このサンドイッチパネル１５Ｂに上段のサンドイッチパネル１５Ｃを載せ、このサンドイッチパネル１５Ｃの上部をアングル３７及びリベット３８、３９を用いて鋼製桁１３に結合する。
【００２９】
また、鋼製桁１３にアングル４１を溶接止めし、このアングル４１に垂木４２を渡し、この垂木４２にコンクリートパネル４３を渡し、このコンクリートパネル４３に防水シート４４を被せる。
そして、鋼製桁１３の外面にヌキ４５を取り付け、水切り鉄板４６で覆い、金属屋根板４７を取り付ければ、屋根１４が完成する。
【００３０】
適当なときに、床と壁とのコーナー部に幅木４８を沿わせ、釘４９でサンドイッチパネル１５Ａに固定する。
ウレタン平板１８は断熱性に富むため、外気温を遮断する性能を発揮し、居住性を高めることができる。したがって、本考案の組み立てハウス１０は居住に適用可能である。
また、両面を薄い金属板１９、１９で被ったため、ウレタンが雨水で痛むことはない。室内面においては、金属板１９に塗装を施すこと、壁紙を貼ること、釘４９を打つことが自由に行え、使い勝手が良くなる。
【００３１】
釘４９やリベット２７他を抜けば、枠体からサンドイッチパネル１５Ａ〜１５Ｃを容易に外すことができ、本考案のハウスは組み立て及び解体が容易であり、自然災害や火災に遭った人たちに、提供することができる組み立てハウスに好適である。断熱性に優れているため、食料品や野菜、果物の貯蔵小屋、物置に使用することは差し支えない。
【００３２】
図７は本考案の要部の作用図であり、壁の下面（アングル３６）と鋼製土台１１の上面との間に２〜７ｍｍの範囲の隙間ｔを設けた。この隙間ｔを通じて矢印Ｐのごとく床下と外との通気性を確保できる。
仮に矢印Ｑのごとく、壁（サンドイッチパネル１５Ａ）と土台１１との間に雨水が浸入したとしても、簡単に落下するため滞留することはない。濡れたとしても、この濡れは通気によりすぐ乾かすことができる。したがって土台１１が腐る心配はない。
【００３３】
鋼製土台１１自体に通気孔を設ける必要がないので、土台１１の高さを低くすることができ、土台１１の制作費用を抑えることができる。、
加えて、図６において、組み立てや解体の際に、２〜７ｍｍの隙間は壁（サンドイッチパネル１５Ａ〜１５Ｃ）の上下移動代にすることができ、壁を簡単に枠体から外す若しくは枠体に嵌めることができ、組み立て工数を下げることができる。
【００３４】
本考案の組み立てハウスは、床や天井に断熱材を入れて、断熱性能を強化することは差し支えない。
また、屋根の形式は自由であって、実施例のような単純な平屋根の他、切妻、寄棟、方形屋根であっても差し支えない。
【産業上の利用可能性】
【００３５】
本考案の組み立てハウスは、自然災害や火災に遭った人たちに、提供することができる組み立て式仮設ハウスに好適である。
【図面の簡単な説明】
【００３６】
【図１】本考案に係る組み立てハウスの斜視図である。
【図２】本考案に係るサンドイッチパネルの基本図である。
【図３】図２の３−３線断面図である。
【図４】本考案のサンドイッチパネルの組み立て要領図である。
【図５】図１の５−５線断面図である。
【図６】図１の６−６線断面図である。
【図７】本考案の要部の作用図である。
【図８】従来の技術の基本構成を説明する図である。
【図９】従来の技術の基本構成の問題点を説明する図である。
【符号の説明】
【００３７】
１０…組み立てハウス、１１…枠体を構成する鋼製土台、１２…同鋼製柱、１３…同鋼製桁、１４…屋根、１５、１５Ａ、１５Ｂ、１５Ｃ…壁を構成するサンドイッチパネル、１８…ウレタン平板、１９…金属板、２１…突条、２２…溝、２３…サンドイッチパネルの下端部、２４…分割線、３４…床、ｔ…隙間。
【図１】
0003107605.tif 000003
【図２】
0003107605.tif 000004
【図３】
0003107605.tif 000005
【図４】
0003107605.tif 000006
【図５】
0003107605.tif 000007
【図６】
0003107605.tif 000008
【図７】
0003107605.tif 000009
【図８】
0003107605.tif 000010
【図９】
0003107605.tif 000011